(57)【特許請求の範囲】
【請求項１】
取付部に形成した開口部に取り付けるスピーカユニットであって、
前記開口部内に収容されるキャビネット部と、
前記キャビネット部の下面に設けたスピーカ面と、
前記キャビネット部に取り付けられて、前記開口部内から延伸する落下防止用の係合具を係合させる被係合具と、
前記キャビネット部に取り付けられた可撓性を有する帯状又は紐状の部材からなる取手具と、を備え、
前記被係合具と前記取手具は、前記キャビネット部の重心位置を通り前記下面と平行な第一の面より上側、かつ、前記重心位置を通り前記第１の面と直交する第２の面に対して一方の側の領域内に固定されている
ことを特徴とするスピーカユニット。
【請求項２】
前記取手具で前記キャビネット部を吊り下げた状態で、前記被係合具を取り付けた面が上側を向いて配置される
ことを特徴とする請求項１に記載のスピーカユニット。
【請求項３】
前記取手具は、その長手方向の両端が前記キャビネット部に固定された柔軟性を有する部材からなり、
前記被係合具は、フック状の前記係合具を引っ掛けて係合させるリング状の取付具である
ことを特徴とする請求項１又は２に記載のスピーカユニット。
【請求項４】
前記キャビネット部は、上面と前記下面との間の軸方向の外周が側面で囲まれた筒状の外形を有しており、
前記取手具と前記被係合具は、それぞれが前記キャビネット部の前記側面と前記上面の少なくともいずれかに固定されている
ことを特徴とする請求項１乃至３のいずれか１項に記載のスピーカユニット。
【発明の詳細な説明】
【技術分野】
【０００１】
本発明は、天井などに形成した開口部に埋め込んで設置する埋込型のスピーカユニットに関し、詳細には、取付作業の効率化を図ることができる構造を備えたスピーカユニットに関する。
【背景技術】
【０００２】
従来、例えば特許文献１に示すように、室内の天井などに形成した取付孔（開口部）に埋め込んで設置する埋込型のスピーカユニット（シーリングスピーカ）がある。このようなスピーカユニットは、略円筒状のキャビネット部と、キャビネット部の底面に設けたスピーカ面とを備える。そして、スピーカ面を天井の表面（下面）側に露出させた状態でキャビネット部を天井の取付孔に差し込み、その状態でボルトの締結などによって固定する。このようなスピーカの取付構造には、ボルトの締結前や締結の解除後に重量物であるスピーカユニットが誤って落下することを防止するために、チェーン又はワイヤなどからなる落下防止具を備えた落下防止構造が設けられている。
【０００３】
上記のスピーカユニットの落下防止構造は、スピーカユニットのキャビネット部を天井の取付孔に挿入する前に、天井の上方に配設した梁などに固定されて延伸する落下防止具をスピーカユニットのキャビネット部に固定された取付具（被係合具）に通したり引っ掛けたりすることで係合させる。その状態で、スピーカユニットを天井の取付孔に挿入してボルトなどの締結で固定する。これにより、万一、取付作業中に誤ってスピーカユニットを支持している手を離してしまった場合にも、落下防止チェーンによってスピーカユニットの落下を防止できる。また、スピーカユニットの取り外しの際に、ボルトの締結などを解除した後でスピーカユニットを天井の取付孔から抜き取る際にも、落下防止チェーンによってスピーカの落下を防止できる。
【先行技術文献】
【特許文献】
【０００４】
【特許文献１】特開２００４−１２０１９２号公報
【発明の概要】
【発明が解決しようとする課題】
【０００５】
ところが、上記のような落下防止構造では、落下防止具をスピーカユニットの取付具に係合させる作業を行う際に、一方の手でスピーカユニットを持ちながら、他方の手で落下防止具を取付具に係合させる作業を行う必要があった。そして、この作業は天井の近傍で行われる。そのため、作業者が脚立などに乗りながら天井の取付孔の位置へスピーカユニットを持ち上げた状態での作業となる。しかしながら、従来のスピーカユニットには、該スピーカユニットを手で持つための部分や部品が特に設けられていなかった。そのため、作業者は、重量物であるスピーカユニットを手の平などに載せてバランスを取りながら落下防止具を取付具に係合させる作業を行う必要がある。この作業は非常に行い難いうえに、スピーカユニットを安定した状態で持つことができないために、誤って落下させてしまう危険もあった。
【０００６】
また、スピーカユニットを一方の手で持ちながら他方の手で落下防止具を取付具に係合させる作業を行うと、スピーカユニットの持ち方や持っている高さ位置によっては、取付具を直接目視できない状況での作業となることがある。その場合、作業者は手探りで落下防止具を取付具に引っ掛けなければならず、作業の効率が非常に悪く、また取付ミスが生じるおそれもあった。
【０００７】
本発明は上述の点に鑑みてなされたものであり、その目的は、簡単な構成で、取付部の開口部に埋込型のスピーカユニットを取り付ける際に、落下防止用の係合具をスピーカユニット側の被係合具に係合させる作業の容易化及び効率化を図ることができるスピーカユニットを提供することにある。
【課題を解決するための手段】
【０００８】
上記課題を解決するため、本発明にかかるスピーカユニットは、取付部（６０）に形成した開口部（６１）に取り付けるスピーカユニット（１）であって、開口部（６１）内に収容されるキャビネット部（２）と、キャビネット部（２）の下面（２ａ）に設けたスピーカ面（４）と、キャビネット部（２）に取り付けられて、開口部（６１）内から延伸する落下防止用の係合具（６７，６８）を係合させる被係合具（２０）と、キャビネット部（２）に取り付けられた可撓性を有する帯状又は紐状の部材からなる取手具（２５）と、を備え、被係合具（２０）と取手具（２５）は、キャビネット部（２）の重心位置（Ｍ）を通り下面（２ａ）と平行な第一の面（Ｓ１）より上側、かつ、重心位置（Ｍ）を通り第１の面（Ｓ１）と直交する第２の面（Ｓ２）に対して一方の側の領域（Ａ）内に固定されていることを特徴とする。
【０００９】
本発明にかかるスピーカユニットによれば、キャビネット部に取り付けられた可撓性を有する帯状又は紐状の部材からなる取手具を備えたことで、片手のみで容易かつ確実にスピーカユニットを持つことが可能となる。したがって、スピーカユニットを一方の手で持ちながら他方の手で落下防止用の係合具を被係合具に係合させる作業が非常に行い易くなる。
【００１０】
そのうえで、被係合具と取手具は、キャビネット部における上記第１の面より上側かつ第２の面に対して一方の側の領域内に固定されているので、キャビネット部の重心位置に対して、上側かつ左右の一方の側に偏った位置に被係合具と取手具が固定されていることになる。これにより、取手具の固定位置がキャビネット部の重心位置からずれているため、取手具を手で持ってスピーカユニットを持ち上げると、取手具により吊り下げられたスピーカユニットは、取手具が固定された面を上側に向けて斜めに傾斜した状態となる。そして、取手具と被係合具の両方が同一の上記領域内に固定されていることで、被係合具が取手具を把持している手の近傍で上側を向いて配置されるようになる。したがって、被係合具を視認し易く、かつ被係合具に他方の手が届き易い状態となる。よって、被係合具を目視で確認しながら落下防止用の係合具を容易かつ確実に係合させることができる。これにより、スピーカユニットの取付作業の効率が大幅に向上し、取付作業にミスが生じることも防止できる。
【００１１】
また、上記の取手具は、可撓性を有する帯状又は紐状の部材なので、スピーカユニットの取付作業時には上記のように片手でスピーカユニットを持つために利用できる一方、スピーカユニットの設置後には、設置場所のスペースに応じて適宜に変形することで、スピーカユニットの設置状態で他の部材と干渉するおそれがない。したがって、取手具を設けていてもスピーカユニットの設置場所や設置状態に影響を及ぼさずに済む。
【００１２】
また、上記のスピーカユニットでは、取手具（２５）でキャビネット部（２）を吊り下げた状態で、被係合具（２０）を取り付けた面（２ｃ）が上側を向いて配置されるようにしてよい。
【００１３】
この構成によれば、取手具を手で持ってスピーカユニットを吊り下げた状態で、被係合具を視認又は操作し易くなる。したがって、取手具を一方の手で持ちながら他方の手で係合具を被係合具に係合させる作業がより行い易くなる。
【００１４】
また、上記のスピーカユニットでは、取手具（２５）は、その長手方向の両端（２５ａ，２５ａ）がキャビネット部（２）に固定された柔軟性を有する部材からなり、被係合具（２０）は、フック状の係合具（６８）を引っ掛けて係合させるリング状の取付具であってよい。
【００１５】
この構成によれば、取手具の長手方向の両端がキャビネット部に固定されていることで、取手具に手などを引っ掛けて持つことができる。従って、取手具を持ち易くなり、スピーカユニットを誤って落下させる危険をさらに減らすことができる。また、取手具が柔軟性を有する部材からなることで、スピーカユニットの使用時にスピーカを鳴らした場合でも、スピーカユニットの振動に伴い取手具が振動して振動音（びびり音）が生じることを効果的に防止できる。また、被係合具をフック状の係合具を引っ掛けて係合させるリング状の取付具としたことで、取手具を手で持ちながら係合具を被係合具に引っ掛けて係合させる作業がより簡単に行えるようになる。
【００１６】
また、上記のスピーカユニットの一態様としては、キャビネット部（２）は、上面（２ｂ）と下面（２ｃ）との間の軸方向の外周が側面（２ｃ）で囲まれた筒状の外形を有しており、取手具（２５）と被係合具（２０）は、それぞれがキャビネット部（２）の側面（２ｃ）と上面（２ｃ）の少なくともいずれかに固定されていてよい。
なお、上記の括弧内の符号は、後述する実施形態における構成要素の符号を本発明の一例として示したものである。
【発明の効果】
【００１７】
本発明にかかるスピーカユニットによれば、簡単な構成で、天井など取付部の開口部に埋込型のスピーカユニットを取り付ける際に、落下防止用の係合具をスピーカユニットの被係合部に係合させる作業の容易化及び効率化を図ることができる。
【図面の簡単な説明】
【００１８】
【図１】本発明の一実施形態にかかるスピーカユニット及びそれを取り付ける取付孔の斜視図である。
【図２】スピーカユニットの側面図である。
【図３】落下防止チェーンの係合フックをスピーカユニットの取付リングに係合させる作業の手順を説明するための図である。
【発明を実施するための形態】
【００１９】
以下、添付図面を参照して本発明の実施形態を詳細に説明する。図１は、本発明の一実施形態にかかるスピーカユニット１及びそれを取り付ける天井（取付部）６０の取付孔６１を示す斜視図である。また、図２は、スピーカユニット１の側面図である。図１に示すように、本実施形態のスピーカユニット１は、室内の天井６０に形成した取付孔（開口部）６１に埋め込んで設置する埋込型のスピーカユニット（シーリングスピーカ）である。
【００２０】
図１に示す天井６０の取付孔６１は、天井６０の表側（下側）６０ａから裏側（上側）６０ｂに貫通する円形の貫通孔からなる。取付孔６１には、取付用金具６５が設置されている。この取付用金具６５は、取付孔６１の周縁６１ａに沿う円形環状の薄板状部材である。取付用金具６５は、取付孔６１の周縁６１ａの上面に被さる上壁６５ａと、取付孔６１の周縁６１ａの内周面に被さる側壁６５ｂとを有しており、その断面が略Ｌ字型に形成されている。この取付用金具６５は、天井６０の裏側６０ｂにおける取付孔６１の周縁６１ａに載置して取り付ける。なお、以下の説明では、取付孔６１の周縁６１ａというときは、取付用金具６５を設置した状態での取付孔６１の周縁を示すものとする。
【００２１】
また、取付孔６１内には、天井６０の上方に配設した図示しない梁などに固定された落下防止チェーン６７が吊り下げられている。この落下防止チェーン６７の先端（下端）には、スピーカユニット１側に引っ掛けて係合させる係合フック６８が取り付けられている。なお、落下防止チェーン６７は、スピーカユニット１を吊り下げて支持できるものであれば、ワイヤなど他の部材であってもよい。
【００２２】
スピーカユニット１は、天井６０の取付孔６１内に収容されるキャビネット部２を備える。キャビネット部２は、上面２ｂと底面（下面）２ｃとの間の軸方向に対する径方向の外周が側面２ｃで囲まれた筒状の外形を有しており、底面２ａには、スピーカ面４が設けられている。以下の説明で上又は下というときは、筒状のキャビネット部２の軸方向（図１及び図２に示す上下方向）を指すものとする。また、キャビネット部２の底面２ａ及びその近傍の外周には、底部カバー７が設けられている。底部カバー７は、キャビネット部２の底面２ａ及びその上側の一部の外周を囲む環状の部分であって、その外周面７ｃの径寸法は、キャビネット部２の上面２ｂ側の外径寸法よりも大きな寸法になっている。したがって、底部カバー７は、キャビネット部２の底面２ａ及びその近傍の外周面において外径側に突出する環状の突起として形成されている。なお、本実施形態では、底部カバー７は、合成樹脂製の部材であり、底部カバー７よりも上側のキャビネット部２は、金属製の部材である。
【００２３】
また、底部カバー７の下端外周縁には、径方向の外側へ突出する薄板状のフランジ部５が形成されている。フランジ部５は、底部カバー７と一体に形成されており、キャビネット部２の底面２ａ（スピーカ面４）と同一の高さ位置でその面が径方向の外側へ延びる環状の縁部として形成されている。
【００２４】
スピーカユニット１には、キャビネット部２を取付孔６１内に挿入した状態で仮止めするための仮止め機構１０が設けられている。仮止め機構１０は、キャビネット部２の側面２ｃに取り付けられた仮止めタブ１１を備える。仮止めタブ１１は、弾性金属製の細板からなり、天井６０の裏側６０ｂにおける取付孔６１の周縁６１ａに係合する段状の係合部１３を備える。上記の仮止めタブ１１は、キャビネット部２の周方向の３箇所に設置されている。
【００２５】
また、図１及び図２に示すように、スピーカユニット１には、仮止め機構１０で取付孔６１内に仮止めしたスピーカユニット１を本固定するためのストッパー機構３０が設けられている。ストッパー機構３０は、キャビネット部２の側方で上下方向へ移動可能に設置したストッパー片（固定用部材）３１を備える。そして、フランジ部５とストッパー片３１との間に取付孔６１の周縁６１ａを挟持することでスピーカユニット１を固定する構造である。上記のストッパー機構３０は、キャビネット部２の周方向の３箇所に設置されている。スピーカユニット１の仮止め及び本固定のための機構は、本発明の要旨ではないため、ここでは上記の仮止め機構１０及びストッパー機構３０の詳細な構成及び動作の説明は省略する。なお、上記の仮止め機構１０は、省略することも可能である。また、上記のストッパー機構３０は、スピーカユニット１を本固定するための機構の一例であって、スピーカユニット１の本固定のための機構としては、ボルトの締結による固定機構など他の機構を用いることも可能である。
【００２６】
そして、スピーカユニット１は、キャビネット部２の側面２ｃに取り付けられた取付リング（被係合具）２０を備えている。この取付リング２０は、落下防止チェーン６７の係合フック６８を引っ掛けて係合させるための部分である。取付リング２０は、金属製の薄板状の部材であって、キャビネット部２の側面２ｃにリベット２３の締結で固定された固定部２１と、該固定部２１の一端（上端）に連接された円環状のリング部２２とを備えている。リング部２２は、固定部２１から遠ざかるにつれてキャビネット部２の側面２ｃから次第に離れるように斜め方向（斜め上方）に傾斜して延伸している。なお、本実施形態では、取付リング２０は、仮止めタブ１１と一体に形成されている。すなわち、固定部２１の一端（下端）側に仮止めタブ１１が接続されており、固定部２１の他端（上端）側に取付リング２０のリング部２２が接続されている。これ以外にも、図示は省略するが、取付リング２０は、仮止めタブ１１とは別部材として単体で構成することも可能である。
【００２７】
また、スピーカユニット１は、キャビネット部２の側面２ｃに取り付けられた取手具２５を備えている。取手具２５は、スピーカユニット１を手で吊り下げて持つための可撓性及び柔軟性を有する帯状の部材からなる。より具体的には、取手具２５は、ポリアミド樹脂など合成樹脂製の繊維を編み込んで帯状に形成した布材である。取手具２５は、その長手方向の両端２５ａ，２５ａが一対のリベット２６，２６でキャビネットの側面２ｃに固定されており、両端２５ａ，２５ａの間がＵ字状になっている。この取手具２５のＵ字状の部分に手の指などを引っ掛けて持ち上げることで、スピーカユニット１を吊り下げて持つことができる。また、取手具２５は、スピーカユニット１を持つとき以外には、可撓性及び柔軟性を有することで、周囲の部材などが当接するとキャビネット部２の外形に合わせて変形するようになっている。これにより、スピーカユニット１の設置の際及び設置後に取手具２５が周辺の他の部材と干渉しないようになっている。
【００２８】
本実施形態のスピーカユニット１が備えるキャビネット部２は、図１に示すように、上方から見た平面視の形状が、周囲の互いに異なる三方向（等間隔の三方向）を向く略平面状の面６を有する形状（概略三角柱形状）になっている。そして、上記の取付リング２０と取手具２５は、それらの両方がキャビネット部２の同一の面６に固定されている。したがって、取付リング２０と取手具２５は、キャビネット部２の側面２ｃにおいて、互いが一方の側を向いて配置された面６内に固定されている。
【００２９】
また、図２に示すように、取付リング２０と取手具２５は、キャビネット部２の重心位置Ｍを通り底面２ａと略平行な第一の面Ｓ１と、重心位置Ｍを通りこの第１の面Ｓ１に直交する第２の面Ｓ２とに対して、第１の面Ｓ１よりも上側、かつ、第２の面Ｓ２に対して一方の側（図の向かって右側）である領域（斜線を付して示した領域）Ａ内に固定されている。
【００３０】
次に、上記構成のスピーカユニット１を天井６０の取付孔６１に取り付ける手順を説明する。スピーカユニット１を天井６０の取付孔６１に取り付けるには、図１に示すように、予め天井６０の取付孔６１の周縁６１ａに取付用金具６５を設置しておく。
【００３１】
そして、取付孔６１内に垂下している落下防止チェーン６７の係合フック６８をスピーカユニット１の取付リング２０に引っ掛けて係合させる。図３は、落下防止チェーン６７の係合フック６８をスピーカユニット１の取付リング２０に引っ掛けて係合させる作業の手順を説明するための図である。これには、図３（ａ）に示すスピーカユニット１の取手具２５に手の指などを引っ掛けて、スピーカユニット１を取手具２５で吊り下げて持ち上げる。これにより、取手具２５で吊り下げられたスピーカユニット１は、取手具２５の固定箇所がスピーカユニット１の重心（キャビネット部２の中心軸）Ｍに対して横にずれた位置（偏った位置）にあるため、図３（ｂ）に示すように、取手具２５が固定された面６を上側に向けて斜めに傾斜した状態で吊り下げられる。これにより、当該面６に固定した取付リング２０が取手具２５を把持している手Ｆの近傍で斜め上側を向いて配置される。
【００３２】
この状態で、落下防止チェーン６７の係合フック６８を他方の手で持って取付リング２０に引っ掛けて係合させる。これにより、図３（ｃ）に示すように、落下防止チェーン６７がスピーカユニット１の取付リング２０に係合する。したがって、この状態で万一取手具２５を把持している手を離したとしても、スピーカユニット１は落下防止チェーン６７によって吊り下げられた状態となり、落下せずに済む。
【００３３】
その状態で、取手具２５を把持している手をスピーカユニット１の下側（底面２ａ側）を支持するように持ち替えてから、図１に示すように、スピーカユニット１のキャビネット部２を天井６０の表側６０ａ側から取付孔６１に挿入し、取付孔６１内で上方に押し上げてゆく。キャビネット部２が取付孔６１内を上昇する過程で、仮止めタブ１１の係合部１３が取付孔６１の周縁６１ａに係合する。これにより、スピーカユニット１が取付孔６１内で仮止め状態となる。したがって、作業者がスピーカユニット１を支えなくても、取付孔６１からスピーカユニット１が脱落しない状態となる。
【００３４】
上記の仮止め状態で、ストッパー機構３０によるスピーカユニット１の本固定を行う。これには、スピーカユニット１の底面２ａ側から図示しないネジをドライバーなどの工具で回転させることで、ストッパー機構３０のストッパー片３１を移動させ、ストッパー片３１とフランジ部５との間に取付孔６１の周縁６１ａを挟持する。これにより、取付孔６１内でのスピーカユニット１の固定（本固定）がなされる。
【００３５】
以上説明したように、本実施形態のスピーカユニット１によれば、キャビネット部２の側面２ｃに取り付けられた可撓性を有する帯状の部材からなる取手具２５を備えたことで、片手のみで容易かつ確実にスピーカユニット１を持つことが可能となる。したがって、スピーカユニット１を一方の手で持ちながら、他方の手で落下防止チェーン６７の係合フック６８をスピーカユニット１の取付リング２０に引っ掛けて係合させる作業が非常に行い易くなる。
【００３６】
また、取手具２５と取付リング２０は、キャビネット部２の重心位置Ｍを通り底面２ａと平行な第一の面Ｓ１と、重心位置Ｍを通り第１の面Ｓ１と直交する第２の面Ｓ２とに対して、第１の面Ｓ１よりも上側、かつ第２の面Ｓ２に対して一方の側の領域Ａ内に固定されている。すなわち、キャビネット部２の重心位置Ｍに対して上側かつ左右の一方の側に偏った位置に取手具２５と取付リング２０が固定されている。そのため、取手具２５を手で持ってスピーカユニット１を持ち上げると、スピーカユニットが取手具２５の固定されている面６を上側に向けて斜めに傾斜した状態で吊り下げられた状態となる。これにより、取手具２５と同一の面６に固定した取付リング２０が取手具２５を把持している手の近傍で上側を向いて配置される。したがって、スピーカユニット１の取手具２５を持っている作業者にとって取付リング２０が手元にある状態となるので、取付リング２０が視認し易くかつ他方の手が届き易くなる。よって、取付リング２０を目視で確認しながら係合フック６８を係合させることができる。こうして、落下防止チェーン６７を取り付ける作業の効率が大幅に向上し、取付作業にミスが生じることも防止できる。
【００３７】
また、上記の取手具２５は、可撓性又は柔軟性を有する帯状の部材なので、スピーカユニット１の取付作業時には、上記のように片手でスピーカユニット１を持つために利用できる一方、スピーカユニット１の設置後には、設置場所のスペースに応じて適宜に変形することで、設置状態で他の部材と干渉するおそれがない。したがって、取手具２５を設けていてもスピーカユニット１の設置場所や設置状態に影響を及ぼさずに済む。
【００３８】
また、本実施形態のスピーカユニット１では、取手具２５でキャビネット部２を吊り下げた状態で、取付リング２０を取り付けた面６（側面２ｃ）が上側を向いて配置されるようになっている。このように構成したことで、取手具２５を手で持ってスピーカユニット１を吊り下げた状態で、取付リング２０を視認又は操作し易くなる。したがって、取手具２５を一方の手で持ちながら他方の手で係合フック６８を取付リング２０に係合させる作業がより行い易くなる。
【００３９】
また、取手具２５は、その長手方向の両端２５ａ，２５ａがキャビネット部２の面６に固定されて両端２５ａ，２５ａの間がＵ字状になっていることで、このＵ字状の部分に手などを引っ掛けて持つことができる。従って、取手具２５を手で吊り下げて持ち易く、スピーカユニット１を誤って落下させる危険をより減らすことができる。また、取手具２５が柔軟性を有する部材（布材）からなることで、スピーカユニット１の使用時にスピーカを鳴らした場合でも、スピーカユニット１の振動に伴い取手具２５が振動して振動音（びびり音）が生じることを効果的に防止できる。
【００４０】
以上、本発明の実施形態を説明したが、本発明は、上記実施形態に限定されるものではなく、特許請求の範囲、及び明細書と図面に記載された技術的思想の範囲内において種々の変形が可能である。例えば、上記の取手具２５と取付リング２０は、キャビネット部２の重心位置Ｍを通り底面２ａと平行な第一の面Ｓ１と、重心位置Ｍを通りこの第１の面Ｓ１と直交する第２の面Ｓ２とに対して、第１の面Ｓ１より上側かつ第２の面Ｓ２に対して一方の側の領域内に固定されているのであれば、上記実施形態に示すようにキャビネット部の側面２ｃに固定されている場合には限らず、上面２ｂに固定されていてもよいし、側面２ｃと上面２ａとの両方に跨って固定されていてもよい。すなわち、取手具２５と取付リング２０は、それらの両方がキャビネット部２の重心位置Ｍに対して上半分かつ左右一方の側に固定されていることで、一方の手で持った取手具２５でスピーカユニット１を吊り下げた状態で、キャビネット部２がその重心位置の偏心によって傾いた状態となり、取手具２５と取付リング２０を取り付けた部分が上側を向いて配置されればよい。これにより、取手具２５を持っている作業者が取付リング２０を視認でき、かつ他方の手が取付リング２０に容易に届く状態であればよい。
【００４１】
さらにいえば、キャビネット部２の具体的な形状は、上記実施形態に示す上面２ｂ、底面２ａ、側面２ｃを有するような筒状には限定されず、底面さえ有していれば、その他の部分の形状は任意の形状であってよい。したがって、例えば、底面より上側の部分が半球面状の形状などであってもよいし、立方体形状など多角形状であってもよい。その場合においても、本発明にかかる被係合具と取手具は、キャビネット部の重心位置を通りその下面と平行な第一の面と、当該重心位置を通り第１の面と直交する第２の面とに対して、第１の面より上側かつ第２の面に対して一方の側の領域内に固定すればよい。
【００４２】
また、上記実施形態では、取手具２５は、帯状の部材である場合を示したが、本発明にかかる取手具は、これ以外にも紐状の部材などであってもよい。また、取手具は、その一端のみがキャビネット部に固定されていてもよい。また、取手具は、スピーカを鳴らしたときに振動音（びびり音）が生じないように、布材と同程度の柔軟性を有する部材（軟質の部材）であれば、上記実施形態に示す合成樹脂製のものには限定されず、それ以外にも例えば、合成樹脂以外の繊維からなる帯状又は紐状の部材などであってもよい。
【００４３】
また、上記実施形態に示すスピーカユニット１は、キャビネット部２の内部にドライバなどの構成部品を内蔵した状態でのユニットであるが、本発明にかかる取付部や被係合部を備えるスピーカユニットとしては、天井などの開口部に埋め込んで取り付けるキャビネット部を備えてさえいれば、該キャビネット部に構成部品の一部又はすべてを内蔵していない状態のものも含むことができる。すなわち、スピーカユニットとして箱状のキャビネット部のみを備えたものを本発明の取付部や被係合部を用いて天井などに取り付け、その後、当該キャビネット部に構成部品を収容することなども可能である。
【符号の説明】
【００４４】
１・・・スピーカユニット、２・・・    キャビネット部、２ａ・・・底面、２ｃ・・・側面、４・・・スピーカ面、５・・・フランジ部、６・・・面（一方の側を向いて配置された面）、７・・・底部カバー、７ａ・・・窪み部、１０・・・仮止め機構、１１・・・仮止めタブ、２０・・・取付リング（被係合具）、２１・・・固定部、２２・・・リング部、２３・・・リベット、２５・・・取手具、２６・・・リベット、３０・・・ストッパー機構、３１・・・ストッパー片、６０・・・天井（取付部）、６１・・・取付孔（開口部）、６５・・・取付用金具、６７・・・落下防止チェーン、６８・・・係合フック（係合具）、Ｍ・・・重心位置、Ｓ１・・・第１の面、Ｓ２・・・第２の面、Ａ・・・領域
【図１】
0005906951.tif 000002
【図２】
0005906951.tif 000003
【図３】
0005906951.tif 000004